(57)【要約】      （修正有）【課題】資材価格が低廉であり、組み立てが簡略に行うことができ、また、組み立て部材も簡易な運搬手段で運搬でき、更に、地盤上に容易に構築可能なソーラーパネル用の鉄骨基礎構造及び該基礎構造を用いたソーラーパネル用架台を提供する。【解決手段】一対の鉄骨底基材３と、片側３本、両側で６本構成であって、一方の長辺側長さが大きく他方の長辺側長さが小さい鉄骨柱基材４と、を具備するソーラーパネルＰ用の鉄骨基礎構造部２と、この鉄骨基礎構造部の各鉄骨柱基材の上端部上に、各鉄骨柱基材を支持材として配置し、傾斜状態で各鉄骨柱基材に連結された長辺方向３枚、短辺方向４枚、合計１２枚構造からなり、合計１２枚のソーラーパネルＰを載置するソーラーパネル載置部２１と、鉄骨柱基材とソーラーパネル載置部とに斜め配置に両端部が連結され、構造補強を行う斜め配置の補強鉄骨材２４と、を有する。【選択図】図３（ａ）
0003183087.tif 000002
【実用新案登録請求の範囲】
【請求項１】
地中に平坦、かつ、平行配置した一対の鉄骨底基材と、
下端部を各々前記一対の鉄骨底基材に連結し、上端部側を地中から空中に向けて垂直に突出させた４本以上複数の鉄骨柱基材と、
前記鉄骨基礎構造部の各鉄骨柱基材の上端部上に連結されて、所要数のソーラーパネルを載置するようにしたソーラーパネル載置部と、
を具備してなることを特徴とするソーラーパネル用の鉄骨基礎構造。
【請求項２】
地中に平坦、かつ、平行配置した一対の鉄骨底基材と、
下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい鉄骨柱基材と、
前記鉄骨基礎構造部の各鉄骨柱基材の上端部上に連結されて、所要数のソーラーパネルを載置するようにしたソーラーパネル載置部と、
を具備してなることを特徴とするソーラーパネル用の鉄骨基礎構造。
【請求項３】
地中に平坦、かつ、平行配置した一対の耐腐処理を施した鉄骨底基材と、
下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、
前記鉄骨基礎構造部の各鉄骨柱基材の上端部上に連結されて、所要数のソーラーパネルを載置するようにしたソーラーパネル載置部と、
を具備してなることを特徴とするソーラーパネル用の鉄骨基礎構造。
【請求項４】
地中に平坦、かつ、平行配置した長さ６ｍの一対の耐腐処理を施した鉄骨底基材と、
下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、
前記鉄骨基礎構造部の各鉄骨柱基材の上端部上に連結されて、所要数のソーラーパネルを載置するようにしたソーラーパネル載置部と、
を具備してなることを特徴とするソーラーパネル用の鉄骨基礎構造。
【請求項５】
地中に平坦、かつ、平行配置した一対の鉄骨底基材と、下端部を各々前記一対の鉄骨底基材に連結し、上端部側を地中から空中に向けて垂直に突出させた４本以上複数の鉄骨柱基材と、を具備するソーラーパネル用の鉄骨基礎構造部と、
この鉄骨基礎構造部の各鉄骨柱基材の上端部上に、各鉄骨柱基材を支持材として列設配置され、かつ、鉄骨柱基材に連結された所要数のソーラーパネルを載置するようにしたソーラーパネル載置部と、
を有することを特徴とするソーラーパネル用架台。
【請求項６】
地中に平坦、かつ、平行配置した一対の鉄骨底基材と、下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい鉄骨柱基材と、を具備するソーラーパネル用の鉄骨基礎構造部と、
この鉄骨基礎構造部の各鉄骨柱基材の上端部上に、各鉄骨柱基材を支持材として列設配置されるとともに、一方の長辺側が高く他方の長辺側が低い傾斜状態で各鉄骨柱基材に連結された構造からなり、所要数のソーラーパネルを載置するようにしたソーラーパネル載置部と、
を有することを特徴とするソーラーパネル用架台。
【請求項７】
地中に平坦、かつ、平行配置した一対の耐腐処理を施した鉄骨底基材と、下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、を具備するソーラーパネル用の鉄骨基礎構造部と、
この鉄骨基礎構造部の各鉄骨柱基材の上端部上に、各鉄骨柱基材を支持材として平坦状態に列設配置されるとともに、一方の長辺側が高く他方の長辺側が低い傾斜状態で各鉄骨柱基材に連結された長辺方向３枚、短辺方向４枚、合計１２枚構造からなり、合計１２枚のソーラーパネルを載置する載置平板からなるソーラーパネル載置部と、
前記鉄骨柱基材と前記ソーラーパネル載置部とに斜め配置に両端部が連結され、前記鉄骨基礎構造部、ソーラーパネル載置部間の構造補強を行う斜め配置の補強鉄骨材と、
を有することを特徴とするソーラーパネル用架台。
【請求項８】
地中に平坦、かつ、平行配置した長さ６ｍの一対の耐腐処理を施した鉄骨底基材と、下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、を具備するソーラーパネル用の鉄骨基礎構造部と、
この鉄骨基礎構造部の各鉄骨柱基材の上端部上に、各鉄骨柱基材を支持材として平坦状態に列設配置されるとともに、一方の長辺側が高く他方の長辺側が低い傾斜状態で各鉄骨柱基材に連結された長辺方向３枚、短辺方向４枚、合計１２枚構造からなり、１枚の寸法が２ｍ×１ｍ、１枚の発電出力が２５０Ｗである合計１２枚のソーラーパネルを載置する１枚の寸法が２ｍ×１ｍである載置平板からなるソーラーパネル載置部と、
前記鉄骨柱基材と前記ソーラーパネル載置部とに斜め配置に両端部が連結され、前記鉄骨基礎構造部、ソーラーパネル載置部間の構造補強を行う斜め配置の補強鉄骨材と、
を有することを特徴とするソーラーパネル用架台。
【請求項９】
地中に平坦、かつ、平行配置した一対の耐腐処理を施した鉄骨底基材と、下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、を具備するソーラーパネル用の鉄骨基礎構造部と、
この鉄骨基礎構造部の各鉄骨柱基材の上端部上に、各鉄骨柱基材を支持材として平坦状態に列設配置されるとともに、一方の長辺側が高く他方の長辺側が低い傾斜状態で各鉄骨柱基材に連結された長辺方向３枚、短辺方向４枚、合計１２枚構造からなり、合計１２枚のソーラーパネルを載置する載置平板からなるソーラーパネル載置部と、
前記鉄骨柱基材と前記ソーラーパネル載置部とに斜め配置に両端部が連結され、前記鉄骨基礎構造部、ソーラーパネル載置部間の構造補強を行う斜め配置の補強鉄骨材と、
を有するソーラーパネル用架台を、地盤に対して、一方向にＮ個（Ｎは正の整数）並べて配置し、他方向にＭ列（Ｍは正の整数）配置してメガソーラー用としたことを特徴とするソーラーパネル用架台。
【請求項１０】
地中に平坦、かつ、平行配置した長さ６ｍの一対の耐腐処理を施した鉄骨底基材と、下端部を各々前記一対の鉄骨底基材の中央部及び両端部の内側に各々連結し、各上端部側を地中から空中に向けて垂直に、かつ、全体として鉄骨底基材に沿う方向を長辺、これと直交する方向を短辺とする四角形配置となるように突出させた片側３本、両側で６本構成であって、一方の長辺側の突出長さが大きく他方の長辺側の突出長さが小さい耐腐処理を施した鉄骨柱基材と、を具備するソーラーパネル用の鉄骨基礎構造部と、
この鉄骨基礎構造部の各鉄骨柱基材の上端部上に、各鉄骨柱基材を支持材として平坦状態に列設配置されるとともに、一方の長辺側が高く他方の長辺側が低い傾斜状態で各鉄骨柱基材に連結された長辺方向３枚、短辺方向４枚、合計１２枚構造からなり、１枚の寸法が２ｍ×１ｍ、１枚の発電出力が２５０Ｗである合計１２枚のソーラーパネルを載置する１枚の寸法が２ｍ×１ｍである載置平板からなるソーラーパネル載置部と、
前記鉄骨柱基材と前記ソーラーパネル載置部とに斜め配置に両端部が連結され、前記鉄骨基礎構造部、ソーラーパネル載置部間の構造補強を行う斜め配置の補強鉄骨材と、
を有するソーラーパネル用架台を、地盤に対して、一方向にＮ個（Ｎは正の整数）並べて配置し、他方向にＭ列（Ｍは正の整数）配置してメガソーラー用としたことを特徴とするソーラーパネル用架台。
【考案の詳細な説明】
【技術分野】
【０００１】
本考案は、ソーラーパネル用架台に関し、詳しくは、資材価格が低廉であり、組み立て施工も人力で簡略、迅速に行うことができ、また、組み立て部材も軽トラック等の簡易な運搬手段で例えば農道や林道等々でも運搬、搬入でき、更に、低廉な設備投資で遊休農地等の地盤上に容易、かつ、迅速に構築可能なソーラーパネル用の鉄骨基礎構造及び該基礎構造を用いたソーラーパネル用架台に関するものである。
【背景技術】
【０００２】
再生可能エネルギーの開発は、近年の東北大震災以降日本全体のエネルギー事情を考える上で大変重要な課題となっている。
【０００３】
再生可能エネルギーの内、太陽光発電は簡易な発電手段であるが、発電量に対する設備費が割高であり、水力発電の４倍、火力発電の４倍程度の設備費を要するとされている。
【０００４】
最近においては、メガソーラー発電所を構築するに際して、ソーラーパネルを始めとする関連機材の価格は、設置数の増加に伴い低価格化しているものの、ソーラーパネル架台に関してはコンクリート基礎上に鉄骨構造等による架台を構築することが主流であり、このため、依然として低価格化が実現していないのが現状である。
【０００５】
ソーラーパネル架台の設備費が低廉化すれば、太陽光発電による発電価格は原子力発電や火力発電に劣らない低廉なものとなると予測される。
【０００６】
特許文献１には、施行地に所定間隔で立設された複数の架台２と架台２間に掛け渡した支持材３と、支持材３に設けた太陽電池パネル４を取り付ける太陽電池取り付け部３ａとを備えた太陽電池支持構造であって、複数の架台２の上面２ａの上面全部又は一部を所定の傾斜角で傾斜させ、この傾斜面に支持材３を取り付けて太陽電池パネルを傾斜状態で支持する太陽電池パネル支持構造が開示されている。
【０００７】
しかし、この特許文献１の太陽電池パネル支持構造も、コンクリート構造の架台等を採用するものであり、やはり低価格化を実現し得るようなものではない。
【先行技術文献】
【特許文献】
【０００８】
【特許文献１】特開２００７−３５８４９号公報
【考案の概要】
【考案が解決しようとする課題】
【０００９】
本考案が解決しようとする問題点は、資材価格が低廉であり、組み立て施工も人力で簡略、迅速に行うことができ、また、組み立て部材も軽トラック等の簡易な運搬手段で例えば農道や林道等々でも運搬、搬入でき、低廉な設備投資で遊休農地等の地盤上に容易、かつ、迅速に構築可能なソーラーパネル用架台、更には、低廉な設備投資で遊休農地等の面積に柔軟に対応しつつ比較的小規模から大規模にわたる各種の発電出力を有するメガソーラー用発電所建設を実現し得るようなメガソーラー用の鉄骨基礎構造が存在しない点である。
【課題を解決するための手段】
【００１０】
本考案のソーラーパネル用の鉄骨基礎構造は、地中に平坦、かつ、平行配置した一対の鉄骨底基材と、下端部を各々前記一対の鉄骨底基材に連結し、上端部側を地中から空中に向けて垂直に突出させた４本以上複数の鉄骨柱基材と、前記各鉄骨柱基材の上端部上に連結されて所要数のソーラーパネルを載置するようにしたソーラーパネル載置部と、を具備してなることを特徴とするものである。
【考案の効果】
【００１１】
請求項１乃至４記載に係る考案によれば、地中に平坦、かつ、平行配置した一対の鉄骨底基材と、一方の長辺側の突出長さが大きく他方の長辺側の突出長さが小さい鉄骨柱基材と、前記各鉄骨柱基材の上端部上に連結されて所要数のソーラーパネルを載置するようにしたソーラーパネル載置部と、を具備したことを特徴とする構成の基に、運搬容易で、かつ、人力による簡略、迅速な組み立て可能であり、また、組み立て部材も軽トラック等の簡易な運搬手段で例えば農道や林道等々でも運搬、搬入でき、更に、遊休農地、山林の空き地、廃村等の空き地等をソーラー発電所用として有効活用することができる例えば数ｋＷ程度のソーラー発電用として好適な低価格のソーラーパネル用の鉄骨基礎構造を実現し提供することができる。
【００１２】
請求項５、６記載に係る考案によれば、地中に平坦、かつ、平行配置した一対の鉄骨底基材と、請求項６記載の考案のように片側３本、両側で６本構成で、一方の長辺側の突出長さが大きく他方の長辺側の突出長さが小さい鉄骨柱基材と、を具備するソーラーパネル用の鉄骨基礎構造部と、この鉄骨基礎構造部上に設置したソーラーパネル載置用のソーラーパネル載置部と、を有する構成の基に、運搬容易で、かつ、人力による簡略、迅速な組み立て可能であり、また、組み立て部材も軽トラック等の簡易な運搬手段で例えば農道や林道等々でも運搬、搬入でき、更に、遊休農地、山林の空き地、廃村等の空き地等をソーラー発電所用として有効活用することができる例えば数ｋＷ程度のソーラー発電用として好適な低価格のソーラーパネル用架台を実現し提供することができる。
請求項７、８記載に係る考案によれば、請求項５、６記載の考案と同様な効果を奏するとともに、耐腐食性にも優れ、鉄骨基礎構造部、ソーラーパネル載置部間の構造補強を行う所要数の斜め配置の補強鉄骨材を付加した構成により、より架台強度を増強した低価格のソーラーパネル用架台を実現し提供することができる。
【００１３】
請求項９、１０記載に係る考案によれば、個々のソーラーパネル用架台が上述したような効果を発揮することから、耐腐食性に優れ、遊休農地、山林の空き地、廃村等の空き地の面積の大小に柔軟に対応しつつ資材費、施工費等の低廉化を図りつつ数ＭＷ、数十ＭＷ、数百ＭＷ等のように発電出力規模の異なる種々のメガソーラー発電所の建設増進に大いに寄与することができるメガソーラー用のソーラーパネル用架台を実現し提供することができる。
【図面の簡単な説明】
【００１４】
【図１（ａ）】図１（ａ）は本考案の実施例に係るソーラーパネル架台の平面図である。
【図１（ｂ）】図１（ｂ）は本考案の変形実施例に係るソーラーパネル架台の平面図である。
【図２（ａ）】図２（ａ）は本考案の実施例に係るソーラーパネル架台の正面側から見た端面図である。
【図２（ｂ）】図２（ｂ）は本考案の変形実施例に係るソーラーパネル架台の正面側から見た端面図である。
【図３（ａ）】図３（ａ）は本考案の実施例に係るソーラーパネル架台の右側面図である。
【図３（ｂ）】図３（ｂ）は本考案の変形実施例に係るソーラーパネル架台の右側面図である。
【図４】図４は本考案の実施例に係る一台のソーラーパネル架台を一方向にＮ個配置し、他方向にＭ列配置した構成例を示す概略説明図である。
【考案を実施するための形態】
【００１５】
本考案は、資材価格が低廉で、組み立て施工も人力で簡略、迅速に行うことができ、また、組み立て部材も軽トラック等の簡易な運搬手段で例えば農道や林道等々でも運搬、搬入でき、更に、低廉な設備投資で遊休農地等の地盤上に容易に構築可能なソーラーパネル用の鉄骨基礎構造を提供するという目的を、地中に平坦、かつ、平行配置した一対の鉄骨底基材と、下端部を各々前記一対の鉄骨底基材に連結し、上端部側を地中から空中に向けて垂直に突出させた４本以上複数の鉄骨柱基材と、前記各鉄骨柱基材の上端部上に連結されて所要数のソーラーパネルを載置するようにしたソーラーパネル載置部を設置するようにした構成により実現した。
【実施例】
【００１６】
以下、本考案の実施例に係るソーラーパネル用の鉄骨基礎構造及び該基礎構造を用いたソーラーパネル用架台について図面を参照して詳細に説明する。
【００１７】
まず、本実施例に係るソーラーパネル用の鉄骨基礎構造を用いたソーラーパネル用架台１は、図１（ａ）、図２（ａ）、図３（ａ）に示すように、例えば遊休農地、山林、廃村の遊休地等における地盤３０に構築したソーラーパネルＰ用の鉄骨基礎構造部２と、この鉄骨基礎構造部２の上部に配置したソーラーパネル載置部２１と、を有している。
本考案においては、鉄骨基礎構造部２の上部に配置されるソーラーパネル載置部２１は、図１（ａ）等で示すような後記載置平板２２の如く平板状に形成して実施する他、図１（ｂ）、図２（ｂ）、図３（ｂ）に示すように、各部分の鉄骨部材５のみをもって当該ソーラーパネル載置部２１を形成して実施しても良い。
また、図１（ｂ）、図２（ｂ）、図３（ｂ）に示すように、ソーラーパネル載置部２１は、図１（ａ）の実線で示すように後記１２枚からなる載置平板２２に形成して実施する他、図１（ａ）の破線で示す部分をソーラーパネル載置部２１として実施するようにしても良い。この場合、図１（ｂ）、図２（ｂ）、図３（ｂ）に示すように、図１（ａ）の破線で示す部分をソーラーパネル載置部２１としつつ、当該ソーラーパネル載置部２１を鉄骨部材５のみでもって形成して実施することもできる。
【００１８】
前記鉄骨基礎構造部２は、地盤３０の地中に平坦、かつ、平行配置した例えば長さＬ０（例えばＬ０＝６ｍ）の一対の鉄骨底基材３と、下端部を各々前記一対の鉄骨底基材３の中央部及び両端部の内側に各々連結し、各上端部側を地中から空中に向けて垂直に、かつ、全体として鉄骨底基材３に沿う方向を長辺、これと直交する方向を短辺とする四角形配置となるように突出させた４本以上複数の鉄骨柱基材４とを有している。
【００１９】
前記鉄骨柱基材４は、一対の鉄骨底基材３に対して片側３本、両側で６本構成で、一方の長辺側の突出長さが大きく他方の長辺側の突出長さが小さい構成としている。
【００２０】
すなわち、前記鉄骨柱基材４のうち、一方の長辺側、すなわち、図３（ａ）において左側に配置する３本の鉄骨柱基材４は、例えば全長Ｌ１＝２．１ｍで、図２（ａ）に示すように、地盤３０の地中への埋設深さＬ２＝０．５ｍ、地盤３０からの突出長Ｌ３＝１．６ｍとしている。
【００２１】
また、前記鉄骨柱基材４のうち、他方の長辺側、図３（ａ）において右側に配置する３本の鉄骨柱基材４は、例えば全長Ｌ４＝１．５ｍで、図３（ａ）に示すように、地盤３０の地中への埋設深さＬ５＝０．５ｍ、地盤３０からの突出長Ｌ６＝１．０ｍとしている。前記各鉄骨柱基材４は、各々その下端部を鉄骨底基材３に対して、固着手段２７（ネジ止め又はボルト、ナット止め）により固着している。
【００２２】
前記ソーラーパネル載置部２１は、前記鉄骨基礎構造部２の各鉄骨柱基材４の上端部上において、各鉄骨柱基材４を支持材として平坦状態に列設配置されるとともに、例えば一方の長辺側が高く（例えば約１．６ｍ〜約１．７ｍ）、他方の長辺側が低い（例えば約１ｍ〜約０．９ｍ）傾斜状態で、各鉄骨柱基材４に連結された長辺方向３枚、短辺方向４枚、合計１２枚からなる載置平板２２を具備している。
なお、本考案においては、前記ソーラーパネル載置部２１を各部分の鉄骨部材５のみをもって形成して実施しても良く、また、当該ソーラーパネル載置部２１は、図１（ａ）の破線で示す部分をソーラーパネル載置部２１として実施するようにしても良く、この場合、図１（ａ）の破線で示す部分をソーラーパネル載置部２１としつつ、当該ソーラーパネル載置部２１を鉄骨部材５のみでもって形成して実施できることは前記した通りである。
【００２３】
前記１２枚からなる載置平板２２は、１枚の寸法が例えば２ｍ×１ｍで１枚の発電出力が例えば２５０Ｗである合計１２枚のソーラーパネルＰを載置するものであり、１枚の寸法を２ｍ×１ｍとした例えば木板、合成樹脂板等を用いている。なお、ソーラーパネルＰは載置平板２２に適宜の固定手段（図示せず）でもって固定される。
【００２４】
従って、本実施例における載置平板２２全体の表面積は、（長辺方向６ｍ）×（短辺方向４ｍ）＝２４ｍ２であり、また、本実施例に係るソーラーパネル用架台１上に配置する１２枚のソーラーパネルＰにより最大で３ｋＷの発電出力を得る構成としている。前記載置平板２２は、一枚毎又は長辺方向３枚にわたりその端辺に、前記ソーラーパネルＰの端辺を係合しソーラーパネルＰの傾斜面に沿ったずれ落ちを防止するためのフック２３を取り付けている。
また、各鉄骨柱基材４の上端に固着支持されて配置されている各鉄骨部材５と、これに対応する位置の各載置平板２２とは、固着手段（ネジ止め又はボルト、ナット止め）により固着されている。
【００２５】
以上詳述したように、本実施例に係るソーラーパネル用の鉄骨基礎構造は、地中（例えば遊休農地、山林、廃村の遊休地等における地盤３０）に平坦、かつ、平行配置した一対の鉄骨底基材３と、下端部を各々前記一対の鉄骨底基材３に連結し、上端部側を地中から空中に向けて垂直に突出させた所要数の鉄骨柱基材４と、を具備してなるソーラーパネルＰ用の鉄骨基礎構造部２であって、前記鉄骨基礎構造部２の各鉄骨柱基材４の上端部上に、各鉄骨柱基材４を支持材として平坦状態に列設配置され、かつ、鉄骨柱基材４に連結されて、所要数のソーラーパネルＰを載置するようにした所要数の載置平板からなるソーラーパネル載置部２１を設置するように構成したものである。
【００２６】
また、本実施例に係るソーラーパネル用架台１は、更に、前記鉄骨柱基材４と前記ソーラーパネル載置部２１とに斜め配置に両端部が連結されて、前記鉄骨基礎構造部２、ソーラーパネル載置部２１間の構造補強を行う所要数の斜め配置の補強鉄骨材２４を具備している。
【００２７】
前記斜め配置の補強鉄骨材２４は、本実施例においては、図２（ａ）に示すように、鉄骨柱基材４と、上端で鉄骨柱基材４に固着支持されて配置されている各鉄骨部材５とを固着手段２７（ネジ止め又はボルト、ナット止め）により斜めに配置固着した補強鉄骨材２４を配置している。
なお、本考案においては、前記したように、鉄骨部材５のみをもってソーラーパネル載置部２１を形成して実施する場合、前記補強鉄骨材２４は、固着手段２７（ネジ止め又はボルト、ナット止め）をもってソーラーパネル載置部２１を形成する各部分の鉄骨部材５に固着されることになる。
【００２８】
同様に、他方の長辺側にも前記のものと同様な構造の基に２本の補強鉄骨材２４を配置している。
【００２９】
更に、前記ソーラーパネル用架台１を右側の側面から見た図３（ａ）に示すように、突出長さの大きい鉄骨柱基材４と、上端で鉄骨柱基材４に固着支持されて配置されている各鉄骨部材５とを固着手段２７（ネジ止め又はボルト、ナット止め）により斜め配置に固着した補強鉄骨材２４を配置し、突出長さの小さい鉄骨柱基材４と、前記鉄骨部材５とを固着手段２７（ネジ止め又はボルト、ナット止め）により斜め配置に固着した補強鉄骨材２４を配置している。
【００３０】
同様に、図示しないが、他方の端辺側にも、図３（ａ）に示す場合と同様な構造の基に２本の補強鉄骨材２４を配置している。
【００３１】
すなわち、本実施例では、補強鉄骨材２４を全体として各鉄骨柱基材４と各鉄骨部材５とに合計８個配置した構成としている。
【００３２】
また、本実施例では、各鉄骨柱基材４と各載置平板２２とは、各補強鉄骨材２４及び鉄骨部材５を介して固着手段２７（ネジ止め又はボルト、ナット止め）により固着している。
【００３３】
前記鉄骨底基材３、鉄骨柱基材４、鉄骨部材５及び斜め配置の補強鉄骨材２４は、各々外周に長期間の腐食に耐える亜鉛メッキを施した亜鉛メッキ鋼材を用いている。
【００３４】
更に、前記鉄骨底基材３や鉄骨柱基材４の地中に埋設される部分には特に耐腐食性を考慮して２重の亜鉛メッキを施している。
【００３５】
次に、本実施例に係るソーラーパネル用架台１の構築方法について概説する。
【００３６】
まず、地盤３０内に前記鉄骨底基材３を設置するために、例えば、約６ｍ×約３ｍの長方形状で、深さ約０．５ｍの寸法の穴を掘削する。但し、本実施例に係るソーラーパネル用架台１の全体形状は長方形に限定されるものではなく、正方形状をはじめ如何なる形状のものでも良く、したがって、地盤３０内に掘削される穴の形状は長方形状に限定されるものでないことは勿論である。
【００３７】
そして、この穴の底部に一対の鉄骨底基材３を平行、かつ、平坦に配置し、一対の鉄骨底基材３から合計６本の鉄骨柱基材４をその下端部を鉄骨底基材３に連結しつつ垂直上方に立ち上げる。
【００３８】
このとき、図１（ａ）、図３（ａ）に示すように、対角となる一対の鉄骨柱基材４間に組立用仮梁２５を仮に連結し、前記鉄骨基礎構造部２の寸法精度の正確性を期す。
【００３９】
次に、各鉄骨柱基材４の下端側０．５ｍの範囲に土砂等を投入し埋め戻して地盤３０を平坦状態に戻す。
【００４０】
次に、合計６本の鉄骨柱基材４の上端に、図１（ａ）に示すような形態となるように、固着支持されている各鉄骨部材５を配置し、これに対応する位置の合計１２枚の載置平板２２を縦横に密接しつつ平坦となるように列設し、各鉄骨部材５と、対応する各載置平板２２の下面部とを固着手段２７（ネジ止め又はボルト、ナット止め）を用いて固着する。
【００４１】
次に、長辺側合計４個、短辺側合計４個の補強鉄骨材２４を用いて、図２（ａ）、図３（ａ）に示すような態様で各鉄骨柱基材４と各鉄骨部材５とに各補強鉄骨材２４を連結固着して、前記鉄骨基礎構造部２、ソーラーパネル載置部２１間の構造補強を行う。
【００４２】
以上により、本実施例に係るソーラーパネル用架台１の組み立てが完了する。
【００４３】
図３（ａ）、図４は、各ソーラーパネルＰ（想像線で示す）を各載置平板２２上に載置した状態を概略的に示すものであり、一台の１ソーラーパネル用架台１上に例えば１２枚のソーラーパネルＰを設置することにより、最大で３ｋＷの発電出力を得る構成としたものである。
【００４４】
次に、図４を参照して上述したソーラーパネル用架台１を所要台数用いて、メガソーラー発電所を建設する場合におけるメガソーラー用のソーラーパネル用架台１Ａについて概説する。
【００４５】
図４に示すように、前記ソーラーパネル用架台１を、広面積を有する地盤３０に対して、既述したような構築方法の基に、例えば一方向（Ｘ方向）にＮ個（Ｎは正の整数）、他方向（Ｙ方向）にＭ個（Ｍは正の整数）並べて、全体として（Ｎ×Ｍ）台（Ｎ台×Ｍ列）構成のソーラーパネル用架台１Ａを構築する。
【００４６】
この場合、Ｎ＝５０、Ｍ＝５０とすれば、ソーラーパネル用架台１の全台数は２５００台となり、したがって１台３ｋＷ、全体で７．５ＭＷのメガソーラー発電所を建設することができる。
【００４７】
また、Ｎ＝１００、Ｍ＝１００とすれば、ソーラーパネル用架台１の全台数は１００００台となり、したがって１台３ｋＷ、全体で３０ＭＷのメガソーラー発電所を建設することができる。
【００４８】
なお、上述したＮ、Ｍの値は上記例に限定されるものではなく、更に大きな値（１５０、２００等としてより大規模なメガソーラー発電所建設用とすることができることは勿論である。
【００４９】
以上説明した本実施例に係るソーラーパネル用の鉄骨基礎構造、該基礎構造を用いたソーラーパネル用架台１によれば、主要な構成材である耐腐処理を施した鉄骨底基材３の長さが例えば６ｍ、耐腐処理を施した鉄骨柱基材４の長さが２．１ｍ、載置平板２２の１枚の寸法が例えば２ｍ×１ｍ程度と軽トラック、小型車等により運搬可能寸法であり、かつ、人力組み立て可能な寸法であり、更に耐腐食性にも優れることから、軽トラック、小型車等が走行可能な進入道路が有れば目的地に容易に搬入し、人力で簡略、迅速に施工組み立てを行うことができ、また、組み立て部材も軽トラック等の簡易な運搬手段で例えば農道や林道等々でも運搬、搬入でき、更に、耐腐食性にも優れ、例えば、遊休農地、山林の空き地、廃村等の空き地等をソーラー発電所用として有効活用することができるとともに、例えば数ｋＷ程度の小規模なソーラー発電所の低廉な設備価格による建設増進に大いに寄与することができる。
【００５０】
また、資材費、施工費の低廉化を図ることができるので、初期の設備投資が少なくて済み、太陽光を利用したソーラー発電所の建設増進に大いに寄与することができる。
【００５１】
上述したメガソーラー用のソーラーパネル用架台１Ａによれば、個々のソーラーパネル用架台１が上述した効果を発揮することから、耐腐食性に優れ、遊休農地、山林の空き地、廃村等の空き地の面積の大小に柔軟に対応しつつ資材費、施工費等の低廉化を図りつつ数ＭＷ、数十ＭＷ、数百ＭＷ等のように発電出力規模の異なる種々のメガソーラー発電所の建設増進に大いに寄与することができる。
【産業上の利用可能性】
【００５２】
本考案のソーラーパネル用の鉄骨基礎構造及び該基礎構造を用いたソーラーパネル用架台は、一台又は数台等小規模構成とした場合には、一般家庭の庭の一部、市街地の空き地、公園の一部、各種学校の敷地の一部（校庭の隅地）等への小規模なソーラー発電所のための架台として広範に応用可能である。
【符号の説明】
【００５３】
１    ソーラーパネル用架台
１Ａ  ソーラーパネル用架台
２    鉄骨基礎構造部
３    鉄骨底基材
４    鉄骨柱基材
５    鉄骨部材
２１    ソーラーパネル載置部
２２    載置平板
２３    フック
２４    補強鉄骨材
２５    組立用仮梁
２７    固着手段
Ｐ    ソーラーパネル
【図１（ａ）】
0003183087.tif 000003
【図１（ｂ）】
0003183087.tif 000004
【図２（ａ）】
0003183087.tif 000005
【図２（ｂ）】
0003183087.tif 000006
【図３（ａ）】
0003183087.tif 000007
【図３（ｂ）】
0003183087.tif 000008
【図４】
0003183087.tif 000009